(57)【要約】【課題】  各モジュールの状態を把握する。【解決手段】  燃料電池スタック１００は、単位セルの燃料極に接触し燃料ガス流路２０１を形成する集電部材を有する燃料電池セパレータを、単位セルと交互に複数積層すると共に、各燃料ガス流路２０１の入口同士を入口マニホールドで接続しかつ出口同士を出口マニホールドで接続して構成されたモジュールを複数形成し、燃料ガスの流れ方向が、隣接するモジュール間で逆方向になるように、一方のモジュールの出口マニホールドと他方のモジュールの入口マニホールドとを接続し、単位セルの積層方向における両端に通電可能に重ね合わせられた一対の電極板を有している。燃料電池スタック１００には、各燃料室の単位セルの出力電圧を検出する電圧センサＳ１〜Ｓｒを有している。これにより各モジュールの状態、即ち、各燃料室３０の単位セル１５の出力電圧を把握することができる。【選択図】        図１
2007012455.tif 000002
【特許請求の範囲】
【請求項１】
単位セルと、該単位セルの燃料極に接触し燃料ガス流路を形成するセパレータとが交互に複数積層された燃料電池スタックと、
前記単位セル毎の電圧を検知する出力センサと、
前記出力センサの検出値が異常か否かを判断する判断手段と、
該判断によって前記出力センサの検出値が異常と判断された場合、前記出力センサの検出値が異常となった原因個所を推定する推定手段とを備えたことを特徴とする燃料電池システム。
【請求項２】
前記推定手段は、前記異常と判断された出力センサの第１の検出値と、該出力センサに対応する単位セルの隣の単位セルに対応する出力センサの第２の検出値と、に基づいて、前記出力センサの検出値が異常となった原因個所を推定することを特徴とする請求項１に記載の燃料電池システム。
【請求項３】
前記推定手段は、前記第１の検出値と前記第２の検出値とが共に異常の場合には、検出値が異常と判断された出力センサに対応する単位セルが、前記第１の検出値のみが異常の場合には、検出値が異常と判断された出力センサが原因個所であると推定することを特徴とする請求項２記載の燃料電池システム。
【請求項４】
前記判断手段は、少なくとも前記燃料電池スタックに燃料ガスを導入後定常運転前に前記判断を行うことを特徴とする請求項２又は３に記載の燃料電池システム。
【請求項５】
単位セルと、該単位セルの燃料極に接触し燃料ガス流路を形成するセパレータとが交互に複数積層された燃料電池スタックと、
前記単位セル毎の電圧を検知する出力センサと、
を備えた燃料電池システムにおける異常個所推定方法であって、
前記出力センサの検出値が異常か否かを判断するステップと、
前記出力センサの検出値が異常と判断された場合、その出力センサに対応する単位セルの隣りの単位セルに対応する出力センサの検出値が正常であれば前記出力センサが原因個所であると推定するステップと、
を備えた異常個所推定方法。
【請求項６】
前記出力センサの検出値が異常か否かを判断するステップは、少なくとも前記燃料電池スタックに燃料ガスを導入後定常運転前に実行される請求項５に記載の異常個所推定方法。
【発明の詳細な説明】
【技術分野】
【０００１】
本発明は、燃料電池システム及び異常個所推定方法にかかり、より詳細には、単位セルの燃料極に接触する燃料ガス流路を備えたモジュールを複数形成した燃料電池スタックを備えた燃料電池システム、及び、該燃料電池システムにおける異常個所推定方法に関する。
【背景技術】
【０００２】
一般に、高分子電解質膜を使用した燃料電池では、電解質膜を挟んだ両側で燃料ガス或いは酸化ガスがイオン化し、そのイオンが電解質膜を透過して電気化学的な反応を生じるものである。
【０００３】
そして、燃料電池スタックは、燃料ガスと酸化ガスとを高分子電解質膜を介して反応させ電力を得るものである。この燃料電池スタックは、高分子電解質膜を燃料極と酸化極で挟んで構成された単位セルと、導電性材料で構成されたセパレータとを交互に積層して構成され、セパレータと燃料極との間に燃料ガスを、セパレータと酸化極の間に酸化ガスを流通させることにより、電気化学反応を生じさせるものである。
【０００４】
燃料電池スタックの構成としては、各セパレータに同時にガスを供給する並列方式のものや、所定枚数積層された物をモジュールとして、これを直列に複数連結し、各モジュールに順番にガスを供給する直列方式のものなどが提案されている。
【０００５】
このような燃料電池スタックは、該燃料電池スタックから電力を外部負荷に供給するため利用される。外部負荷が変化すると、この変化に応じて燃料電池の出力電力を制御する必要がある。このため、燃料電池からの電力がどのくらいなのかを把握する必要がある。
【特許文献１】特開平０７−２３５３２４号。
【特許文献２】特開２００３−１７８７８９号。
【発明の開示】
【発明が解決しようとする課題】
【０００６】
しかしながら、燃料電池から上記外部負荷への全体的な電力値を把握することができても、各モジュールの状態を把握することができない。 
本発明は、上記事実に鑑み成されたもので、各モジュールの状態を把握することの可能な燃料電池システム及び異常個所推定方法を提供することを目的とする。
【課題を解決するための手段】
【０００７】
以上のような目的は、以下の本発明によって達成される。 
（１）  単位セルと、該単位セルの燃料極に接触し燃料ガス流路を形成するセパレータとが交互に複数積層された燃料電池スタックと、
前記単位セル毎の電圧を検知する出力センサと、
前記出力センサの検出値が異常か否かを判断する判断手段と、
該判断によって前記出力センサの検出値が異常と判断された場合、前記出力センサの検出値が異常となった原因個所を推定する推定手段とを備えたことを特徴とする燃料電池システム。
【０００８】
（２）  前記推定手段は、前記異常と判断された出力センサの第１の検出値と、該出力センサに対応する単位セルの隣の単位セルに対応する出力センサの第２の検出値と、に基づいて、前記出力センサの検出値が異常となった原因個所を推定することを特徴とする請求項１に記載の燃料電池システム。
【０００９】
（３）  前記推定手段は、前記第１の検出値と前記第２の検出値とが共に異常の場合には、検出値が異常と判断された出力センサに対応する単位セルが、前記第１の検出値のみが異常の場合には、検出値が異常と判断された出力センサが原因個所であると推定することを特徴とする請求項２記載の燃料電池システム。
【００１０】
（４）  前記判断手段は、少なくとも前記燃料電池スタックに燃料ガスを導入後定常運転前に前記判断を行うことを特徴とする請求項２又は３に記載の燃料電池システム。
【００１１】
（５）  単位セルと、該単位セルの燃料極に接触し燃料ガス流路を形成するセパレータとが交互に複数積層された燃料電池スタックと、
前記単位セル毎の電圧を検知する出力センサと、
を備えた燃料電池システムにおける異常個所推定方法であって、
前記出力センサの検出値が異常か否かを判断するステップと、
前記出力センサの検出値が異常と判断された場合、その出力センサに対応する単位セルの隣りの単位セルに対応する出力センサの検出値が正常であれば前記出力センサが原因個所であると推定するステップと、
を備えた異常個所推定方法。
【００１２】
（６）  前記出力センサの検出値が異常か否かを判断するステップは、少なくとも前記燃料電池スタックに燃料ガスを導入後定常運転前に実行される請求項５に記載の異常個所推定方法。
【発明の効果】
【００１３】
請求項１に記載の発明によれば、複数のモジュール各々の電極板に隣接した単位セルの出力を検出する複数の出力センサを、出力センサの検出値が異常か否かを判断するようにしているので、各モジュールの状態を具体的に把握することができる。また、出力センサの検出値が異常と判断された場合、出力センサの検出値が異常となった原因個所を推定するので、推定された原因個所に応じて異常に対処することができる。
【００１４】
請求項２に記載の発明によれば、異常と判断された出力センサの第１の検出値と、該出力センサに対応する単位セルの隣の単位セルに対応する出力センサの第２の検出値と、に基づいて、出力センサの検出値が異常となった原因個所を推定するので、出力センサの異常で出力センサの検出値が異常となったのか単位セルの異常で出力センサの検出値が異常となったのかを把握することができる。
【００１５】
請求項３に記載の発明によれば、上記第１の検出値と上記第２の検出値とが共に異常の場合には、検出値が異常と判断された出力センサに対応する単位セルが、上記第１の検出値のみが異常の場合には、検出値が異常と判断された出力センサが原因個所であると推定するので、推定された原因個所に応じて異常に適切に対処することができる。
【００１６】
請求項４に記載の発明によれば、少なくとも燃料電池スタックに燃料ガスを導入後定常運転前に出力センサの検出値が異常か否かを判断するので、異常な状態で定常運転に入ることを抑制することができる。
【００１７】
請求項５に記載の発明によれば、出力センサの検出値が異常か否かを判断し、出力センサの検出値が異常と判断された場合、出力センサの検出値が異常となった原因個所を推定するので、推定された原因個所に応じて異常に対処することができる。 
請求項６に記載の発明によれば、少なくとも燃料電池スタックに燃料ガスを導入後定常運転前に出力センサの検出値が異常か否かを判断するので、異常な状態で定常運転に入ることを抑制することができる。
【発明を実施するための最良の形態】
【００１８】
次にこの発明の好適実施形態について説明する。この実施形態は、電気自動車に搭載される燃料電池システムである。図１は、燃料電池スタック１００を用いたシステム１の燃料供給系１０を示すブロック図である。
【００１９】
この燃料電池システム１の有するスタック１００の構成について説明する。燃料電池スタック１００は、燃料電池単位セル１５と燃料電池セパレータ１３とを交互に積層して構成されている。図２は、燃料電池用セパレータ１３を示す全体正面図、図３は、燃料電池セパレータ１３で構成された燃料電池スタック１００の部分断面平面図（図２におけるＡ‐Ａ断面図）、図４は、同じく部分断面側面図（図２及び図３におけるＢ−Ｂ断面図）、図５は、燃料電池セパレータ１３の部分断面側面図（図２及び図３におけるＣ−Ｃ断面図）、図６は、燃料電池用セパレータ１３の全体背面図である。
【００２０】
セパレータ１３は、単位セル１５の電極に接触して電流を外部に取り出すための集電部材３、４と、各集電部材３、４の周端部に外装される枠体８、９とを備えている。集電板である集電部材３、４は金属で構成されている。構成金属は、導電性と耐食性を備えた金属で、例えば、ステンレス、ニッケル合金、チタン合金等に耐蝕導電処理を施したもの等が挙げられる。
【００２１】
集電部材３は、単位セル１５の燃料極に接触し、集電部材４は酸素極に接触する。燃料極に接触する集電部材３は、図７に示されているように、矩形の金網材から成り、その表面には多数の孔３２０が形成されている。また、集電部材３には、プレス加工によって、突出形成された複数の凸状部３２が形成されている。尚、図７以外の図においては、図面の内容をわかり易くするために、集電部材３を板材として示しており、断面図等において、網材の孔３２０の表示は省略されている。
【００２２】
凸状部３２は、板材の長辺とに沿って短辺方向へ向けて、等間隔で配列されている。長辺に沿って（図２における横方向）配置された凸状部３２の間に形成された溝によって、凸状部３２の間には水素流路３０１が形成され、凸状部３２の裏側に形成された溝３３によって、水素流路３０２が形成されている。この凸状部３２の頂点部分の面は、燃料極が接触する当接部３２１となっている。集電部材３が網体であるため、当接部３２１が接触する部分においても、孔３２０を介して、燃料極は燃料ガスを供給することができる。また、水素流路３０１と水素流路３０２の間も、孔３２０を介して、水素ガスが相互に流通可能となる。
【００２３】
集電部材３の両端部には、流通流通孔３５が形成され、セパレータ１３を積層した場合に、この流通孔３５によって水素供給路が構成される。 
集電部材４は、矩形の板材から成り、プレス加工によって、複数の凸状部４２が形成されている。凸状部４２は、板材の短辺に平行に直線状に連続して形成されており、等間隔で配置されている。凸状部４２の間には、溝が形成されて、空気が流通する空気流路４０が形成されている。この凸状部４２の頂点部分の面は、酸素極が接触する当接部４２１となっている。また、凸状部４２の裏側は溝状の中空部４１となっており、中空部４１の両端は、閉鎖されている。集電部材４の両端部には、孔４８が形成され、セパレータ１３を積層した場合に、この孔４８によって水素供給路が構成される。
【００２４】
以上のような集電部材３、４は、各凸状部３２と凸状部４２が外側となるように重ね合わされて固定される。このとき、集電部材３の裏側面３４と空気流路４０の裏側面４０３が当接した状態となり、相互に通電可能な状態となる。また、空気流路４０は、図３及び図５に示されているように、単位セル１５に重ね合わされ、溝の開口部４００を閉鎖することにより、管状の流路が構成され、空気流路４０の内壁の一部が酸素極で構成される。
【００２５】
この空気流路４０から、単位セル１５の酸素極に酸素と水が供給される。
【００２６】
空気流路４０の一端側開口部は、空気と水が流入する導入口４３となり、他端の開口部は、空気と水が流出する導出口４４となっている。この導入口４３から導出口４４までの空気流路４０及びその集合体が、固体電解質膜に酸素を供給する酸素室（空気室）として機能する。 
また、中空部４１の一端側開口部は、空気と水が流入する流入開放口４５となり、他端の開口部は、空気と水が流出する流出開放口４６となっている。以上のような構成において、空気流路４０と中空部４１は、交互に平行に配置され、相互に側壁４７を挟んで隣接した構成となっている。
【００２７】
集電部材３、４には、枠体８、９がそれぞれ重ねられる。図２に示されているように、集電部材３に重ねられる枠体８は、集電部材３と同じ大きさに構成され、中央には、凸状部３２を収納する窓８１が形成されている。また、両端部近傍には、集電部材３の流通孔３５に合致する位置に孔８３が形成されており、この孔８３と窓８１との間には、集電部材３に接触する側の平面に凹部が形成され、水素流通経路８４が設けられている。また、集電部材３に接触する面に対して、反対側の平面には、輪郭が窓８１に沿って形成された凹部が形成され、単位セル１５が収納される収納部８２が設けられている。この収納部８２に収納された単位セル１５の燃料極表面と、水素流路３０１、３０２と、窓８１とによって、燃料室３０が画成される。このように、燃料室は、燃料極に隣接して設けられ、酸素室は酸素極に隣接して設けられている。
【００２８】
集電部材４に重ねられる枠体９は、枠体８と同じ大きさに構成され、中央には、凸状部４２を収納する窓９１が形成されている。また、両端部近傍には、枠体８の孔８３に合致する位置に孔９３が形成されている。枠体８の集電部材４が重ねられる側の面には、枠体８の対向する一対の長辺に沿って溝が形成され、集電部材３、４に重ねることによって、空気流通路９４、９５が構成される構造となっている。空気流通路９４の一端は、枠体８の長辺側の端面に形成された開口９４１に接続され、他端は空気流路４０の導入口４３に接続されている。
【００２９】
上流側の空気流通路９４は、開口９４１側から空気流路４０側へ向けて横断面積が漸減するように、端部内壁がテーパー面９４２となっており、空気マニホールドから噴射される霧状水の取り入れを容易としている。一方、下流側の空気流通路９５の一端は、空気流路４０の導出口４４に接続され、他端は、枠体８の長辺側端面に形成された開口９５１に接続されている。空気流通路９５は、開口９５１側から空気流路４０側へ向けて横断面積が漸減するように、端部内壁がテーパー面９５２となっている。燃料電池スタック１００が傾いた際にも、このテーパー面９５２によって、水の排出が維持される。 
また、枠体９の、集電部材４に接触する面に対して、反対側の平面には、輪郭が窓９１に沿って形成された凹部が形成され、単位セル１５が収納される収納部９２が設けられている。
【００３０】
図８は単位セル１５の拡大断面図である。単位セル１５は、固体高分子電解質膜１５ａと、該固体高分子電解質膜1５ａの両側面にそれぞれ重ねられた酸化剤極である酸素極１５ｂと燃料極１５ｃとを備えていて、固体高分子電解質膜１５ａは、酸素極１５ｂと燃料極１５ｃとで挟持されている。固体高分子電解質膜1５ａは、収納部８２、９２に合致した大きさに形成され、酸素極１５ｂと燃料極１５ｃは、窓９１、８１に合致した大きさに形成されている。単位セル１５の厚さは、枠体８、９や集電部材３、４の厚さに比べると極めて薄いので、図面では、一体の部材として表示している。
【００３１】
空気流路４０の内壁には、親水性処理が施されている。内壁表面と水の接触角が４０°以下、好ましくは３０°以下となるように表面処理が施されているとよい。処理方法としては、親水処理剤を、表面に塗布する方法が取られる。塗布される処理剤としては、ポリアクリルアミド、ポリウレタン系樹脂、酸化チタン（Ｔｉ Ｏ2）等が挙げられる。
【００３２】
以上のように構成された枠体８、９によって集電部材３、４を保持してセパレータ１３が構成され、セパレータ１３と単位セル１５を交互に積層して、燃料電池スタック１００が構成される。図９は燃料電池スタック１００の部分平面図である。燃料電池スタック１００の上面には、多数の導入口４３が開口し、この導入口４３に、空気マニホールドから空気が流入するとともに、空気マニホールド内でノズルから噴射された水が同時に流入する。導入口４３から流入した空気と水は、潜熱冷却により集電部材３、４を冷却する。
【００３３】
図１０は、燃料電池スタック１００の全体平面図である。燃料電池スタック１００は、単位セル１５の燃料極に接触し燃料ガス流路２０１を形成する集電部材（集電板）を有する燃料電池セパレータ（セパレータ）１３を、単位セル１５と交互に複数積層すると共に、各燃料ガス流路２０１の入口同士を入口マニホールドで接続しかつ出口同士を出口マニホールドで接続して構成されたモジュールを複数形成し、燃料ガスの流れ方向が、隣接するモジュール間で逆方向になるように、一方のモジュールの出口マニホールドと他方のモジュールの入口マニホールドとを接続し、前記単位セル１５の積層方向における両端に通電可能に重ね合わせられた一対の電極板を有している。
【００３４】
即ち、燃料電池セパレータ１３は、所定の枚数重ねられたモジュール１３０−１〜ｎ（単位体）を複数個構成し、この複数のモジュール１３０を複数重ねることによって燃料電池スタック１００が構成される。隣接するモジュール１３０−ｍとモジュール１３０−ｍ＋１の間には、集電部材３と集電部材４の間に遮蔽板１６を挟んだ、セパレータ１４が介在する。遮蔽板１６は、水素通路１７ａ又は水素通路１７ｂのいずれかに対応した位置に、水素通路１７ａ、１７ｂの断面形状と同じ形状の、孔１６１ａ又は１６１ｂを備えている。この遮蔽板１６は、導電性を有し、燃料電池スタック１００内での電気の流通は妨げない。
【００３５】
一方、遮蔽板１６が孔１６１ａを有する場合には、水素通路１７ｂでの水素ガスの流通は、遮蔽板１６によって遮断される。遮蔽板１６が孔１６１ｂを有する場合には、水素通路１７ａでの水素ガスの流通は、遮蔽板１６によって遮断される。遮蔽板１６は、水素ガスが流入する側から流出する側へ配置されている順に、孔１６１ｂが設けられている遮蔽板１６、孔１６１ａが設けられている遮蔽板１６・・・となるよう、交互に配置される。このようにモジュール１３０−１〜ｎ毎に、水素通路１７ａと水素通路１７ｂの一方を交互に遮蔽することで、供給された水素ガスは、モジュール１３０単位で、各燃料室３０内を流通する。具体的には、最初のモジュール１３０では、水素通路１７ａから水素通路１７ｂへ向けて、各燃料室３０内を水素ガスが流れ、次のモジュール１３０では、水素通路１７ｂから水素通路１７ａへ向けて、各燃料室３０内を水素ガスが流れ、さらに次のモジュール１３０では、水素通路１７ａから水素通路１７ｂへ向けて、各燃料室３０内を水素ガスが流れる・・・以降は、交互に水素ガスの流通方向が変化する。
【００３６】
即ち、燃料電池スタック１００は、単位セル１５とセパレータ１３を積層して構成されたモジュール１３０と、モジュール１３０内において、セパレータ１３の積層方向に形成され、燃料室３０を挟んだ両側に位置し、各燃料室３０にそれぞれ連通する一対の水素通路１７ａ、１７ｂとを有し、モジュール１３０を積層して構成されたものであって、隣接するモジュール１３０の間には、各モジュール１３０の一方の水素通路１７ａ、１７ａ（又は１７ｂ、１７ｂ）間を連通する連通部（孔１６１ａ（又は１６１ｂ））と、他方の水素通路１７ｂ、１７ｂ（又は１７ａ、１７ａ）間の水素流通を遮断する遮断部（遮蔽板１６）とを有し、連通部と遮断部は、積層されているモジュール１３０の積層方向に向けて順に、一方の水素通路１７ａ、１７ａ（又は１７ｂ、１７ｂ）と他方の水素通路１７ｂ、１７ｂ（又は１７ａ、１７ａ）において交互に設けられ、一対の水素流路（１７ａ、１７ｂ）間の各燃料室３０内を流れる水素ガスの流通方向が、モジュール１３０毎に交互に逆向きに変化する構成となっている。
【００３７】
図１１は、水素流通路１７ａと、水素流通路１７ａの縦断面図である。各モジュール１３０−１〜ｎは、水素流通路１７ａと、水素流通路１７ａに連通する水素流通経路８４ａによって、さらに、水素流通路１７ｂと、水素流通路１７ｂに連通する水素流通経路８４ｂによって、それぞれマニホールドが構成されている。そして、水素通路１７ａが燃料流入通路である場合には、水素通路１７ａと水素流通経路８４ａで構成されるマニホールドが、入口マニホールドとなり、水素通路１７ｂと水素流通経路８４ｂで構成されるマニホールドが、出口マニホールドとなる。逆に、水素通路１７ａが燃料流出通路である場合には、水素通路１７ａと水素流通経路８４ａで構成されるマニホールドが、出口マニホールドとなり、水素通路１７ｂと水素流通経路８４ｂで構成されるマニホールドが、入口マニホールドとなる。
【００３８】
このように、燃料電池スタック１００を、複数のモジュール１３０−１〜ｎに分割し、モジュール毎に水素ガスを流通させる構成とすることによって、各モジュール１３０の間で水素ガス流量に差が生じることを防止できる。また、単位のモジュール１３０−１〜ｎ内においても、積層されたセパレータ１３と単位セル１５とで構成された各燃料室３０間で水素ガス流量の差が生ずること抑制できる。さらに、燃料電池スタック１００に供給された水素ガスは、繰り返し、モジュール１３０−１〜ｎ内を流れるので、燃料室３０の燃料極に接触する機会が増え、反応効率が向上する。 
そして、モジュール１３０−１〜ｎの積層方向における両端には、電極板が重ねられ、燃料電池スタック１００の電極に接続されている。
【００３９】
図１２は、燃料ガスが最後に通過するモジュール１３０−ｎの構成を示す模式図である。モジュール１３０−ｎの一方の端面には、一方の電極板Ｄが重ねられている。隣接するモジュール１３０−（ｎ−１）から送られる燃料ガスは、水素流通路１７ａから各セパレータによって構成される燃料室３０へ供給される。水素流路１７ａから多数の燃料室３０で構成された流路へ燃料ガスが流入する際、ガスの流れる方向が急激に変更され、屈曲した流路が構成される。 
この実施の形態では、各燃料室３０の単位セル１５の出力電圧を検出する電圧センサＳ１〜Ｓｒを有している。これにより各モジュールの状態、即ち、各燃料室３０の単位セル１５の出力電圧を把握することができる。
【００４０】
図１３は、燃料電池スタック１００の正面図である。水素通路１７ａの水素ガス流入部分には、整流手段としての導入案内路１８ａが設けられている。この導入案内路１８ａは、ガス導入口１８１ａが、燃料ガス供給流路２０１と同じ断面形状を有し、ガス導出口１８２ａが、水素通路１７ａと同じ断面形状を有している。そして、ガス導入口１８１ａからガス導出口１８２ａまでの流路１８３ａは、横断面の幅が漸増し、水素通路１７ａの横断面におけるガス流速の分布が均一となるように、ガス流を案内する。さらに、流路１８３ａには、整流板１８４ａが設けられ、ガス流の圧力損失を抑制しつつ、水素ガスを導く構成となっている。そして、ガス導出口１８２ａが燃料供給口１７１ａに接続されている。
【００４１】
図１４は、燃料電池スタック１００の背面図である。燃料電池スタック１００の水素ガス流出部分には、導出案内路１８ｂが設けられている。この導出案内路１８ｂは、ガス導入口１８１ｂが、水素通路１７ａと同じ断面形状を有し、ガス導出口１８２ｂが、水素導出路２０３と同じ断面形状を有している。そして、ガス導入口１８１ｂからガス導出口１８２ｂまでの流路１８３ｂは、横断面の幅が漸減し、さらに、流路１８３ａには、整流板１８４ａが設けられ、ガス流の圧力損失を抑制しつつ、水素ガスを導く構成となっている。そして、ガス導入口１８１ｂが燃料排出口１７１ｂに接続されている。 
以上のような燃料電池スタック１００の構成によって、燃料電池スタック１００に流入した水素ガスは、圧力損失が抑制され、各燃料電池セパレータ１３の燃料室３０へ均一に水素ガスが供給される。
【００４２】
次に、図１に基づき、燃料電池システム１の構成について説明する。 
燃料供給系１０は、燃料ボンベである高圧水素タンク１１と、燃料ガス供給流路２０１と、燃料ガス供給流路２０１に設けられたガス供給弁Ｖ１とを備えている。燃料ガス供給流路２０１の一端は、高圧水素タンク１１に接続され、他端は、燃料電池スタック１００の導入案内路１８ａを介して、燃料電池スタック１００の燃料供給口１７１ａに接続されている。
【００４３】
燃料ガス供給流路２０１は、燃料ボンベである高圧水素タンク１１から放出された水素を燃料電池スタック１００の燃料供給口１７１ａへ送る。燃料ガス供給流路２０１には、水素一次圧調圧弁ＬＶが高圧水素タンク１１の下流に設けられている。そして、水素圧調圧弁ＬＶの下流には、ガス供給弁Ｖ１が設けられる。水素圧調圧弁ＬＶによって、燃料電池スタック１００へ供給するために適した圧力（燃料ガス流路内圧）に調整される。
【００４４】
燃料ガス供給流路２０１には、ガス供給弁Ｖ１の下流側には、空気導入路２０２が接続されおり、空気導入路２０２には、空気供給弁Ｖ４が設けられ、その上流側には、フィルタ２７が設けられている。 
燃料電池スタック１００では、図３に示されているように、水素通路１７ａから水素ガスが水素流通経路８４ａへ流入し、さらに、水素流通経路８４ａから水素流路３０１、３０２へ流入する。水素流路３０１、３０２において、燃料極へ水素が供給され、残った水素ガスは、水素流通経路８４ｂから水素通路１７ｂへ流入する。
【００４５】
燃料電池スタック１００の燃料排出側には、燃料ガス循環流路２０３が接続されている。燃料ガス循環流路２０３の一端は、導出案内路１８ｂを介して、燃料電池スタック１００の燃料排出口１７１ｂに接続され、他端は、燃料ガス供給流路２０１に接続され、燃料ガス循環流路２０３と燃料ガス供給流路２０１の一部とによって、燃料ガスの循環回路が形成される。この循環回路内においては、燃料ガスが、燃料電池スタック１００、燃料ガス循環流路２０３、ガス供給路２０１、燃料電池スタック１００の順に循環して流れる。燃料ガス供給流路２０１には、空気導入路２０２の接続部と、燃料ガス循環流路２０３の接続部との間に、減圧用遮断電磁弁Ｖ５が設けられている。
【００４６】
また、燃料ガス循環流路２０３には、ガス導出路２０４の一端が接続され、ガス導出路２０４の他端は外部に開放された排出口２６となっており、またガス導出路２０４には、排気電磁弁Ｖ６が設けられている。 
燃料ガス循環流路２０３には、水回収タンク２１が接続され、その下流側には、循環ポンプ２５が接続され、その下流側（吐出口側）に減圧排出路２０５の一端が接続されている。減圧排出路２０５の他端は、燃料ガス排出流路２０４に接続され、排気電磁弁Ｖ６の下流側にガスを合流させる構成となっている。また、減圧排出路２０５には、減圧電磁弁Ｖ３が設けられている。
【００４７】
燃料ガス循環流路２０３において、減圧排出路２０５の接続部の下流側には、循環電磁弁Ｖ２が設けられている。循環回路内に燃料ガスを循環させる場合には、循環電磁弁Ｖ２を開放し、循環ポンプ２５を駆動させる。 
また、排気電磁弁Ｖ６を開放することによって、水回収タンク２１内の水が、ガス導出路２０４を介して、燃料ガスとともに排出される。
【００４８】
循環ポンプ２５は、燃料ガスを燃料電池スタック１００から排出する際にも駆動する。この場合には、循環電磁弁Ｖ２を閉じ、減圧電磁弁Ｖ３を開いた状態となる。 
また、燃料電池スタック１００には、既述の通り、単位セル毎の出力電圧を検出するセンサＳ１〜３が設けられている。 
各弁Ｖ１〜Ｖ６は、電気的に開閉制御可能に構成されている。なお、水回収タンク２１は、燃料電池スタック１００から、燃料ガスとともに排出された生成水を溜める貯留タンクとして機能する。
【００４９】
さらに、燃料電池システム１には、図示しないが、燃料電池システムをイグニッションによる起動・停止を行うスタートスイッチが備えられている。イグニッションキーでなくても、ＯＮ／ＯＦＦスイッチでも構わない。また、燃料電池システムが、図示しない外部負荷に接続されている期間を通常運転時とする。
【００５０】
以上のような構成において、燃料電池システム１により電力出力される通常運転状態では、空気ファン等によって、燃料電池スタック１００の空気流路４０に空気が供給され、同時に、燃料供給系１０からは水素ガスが燃料電池スタック１００に供給される。そして、燃料電池スタック１００内では、発電反応が継続され、電力と、反応により生成された生成水が発生する。このような発電反応は、酸素極に空気を、燃料極に水素ガスを供給することにより維持される。本発明では、通常運転状態（通常発電状態）とは、燃料電池システム１が、外部負荷と接続され、負荷に応じて発電している状態を言う。 
燃料電池始動時とは、燃料電池システムのスタートスイッチが押され（イグニッションキーがオンされ）、燃料電池システム１が外部負荷に接続されるまでの期間が当てはまる。
【００５１】
上記説明した燃料電池システム１は、制御部によって、各部が制御される。また、各センサＳ１〜ｒの検出値は、制御部に供給される。制御部は、各電磁弁Ｖ１〜６の開閉、及び、ポンプ２５の駆動停止、駆動開始を制御する。 ◎
以上のような構成を有する燃料電池システム１は、以下のような動作を行う。図１５は、燃料電池システム１の制御動作を示すフローチャートである。以下の制御動作は、図示しない制御部における制御動作として実行される。この制御部は、ＣＰＵなどの集積回路により構成される。
【００５２】
イグニッションＯＮなど、起動を始める動作が確認されると、ステップ１０１で、起動処理が実行される。起動処理は、例えば、ポンプ２５の起動、水素循環切替弁Ｖ２の閉鎖、減圧電磁弁Ｖ３、減圧用遮断電磁弁Ｖ５及び排気電磁弁Ｖ６の開放を行う。これにより、置換ガスの排出経路が確保される。次に、ガス供給弁Ｖ１を開放する。ガス供給弁Ｖ１の開放によって、燃料ガスが燃料電池スタック１００内に流入し、燃料電池スタック１００内の置換ガスは、供給される燃料ガスによって押し出され、排出口２６から排出される。
【００５３】
置換ガスから燃料ガスに十分に交換されるように、所定時間が経過するまで、上記状態を維持し、所定時間経過後、減圧電磁弁Ｖ３及び排気電磁弁Ｖ６を閉じる。これにより、起動処理が終了する。 
このように起動処理が終了した後、定常運転の開始前に、ステップ１０２で、異常検知処理を実行する。異常検知処理は、図１６に示すように、ステップ１２２で、本処理で使用する各変数を初期化し、ステップ１２４で、単位セルを識別する変数ｉを１インクリメントし、後述する管理テーブルの変数ｉに対応する領域を識別する変数Ｇｉを１インクリメントする。 
ステップ１２８で、変数ｉにより識別されるセルｉの所定時間内の出力電圧Ｖｉを、変数ｉにより識別されるセルｉに対応する電圧センサにより検出する。
【００５４】
ここで、出力電圧Ｖｉが異常でなければ、図１７に示すように、所定時間内では所定値以上でかつ一定値ＯＣＶ（電圧開放電圧）を示す。これに対し、出力電圧Ｖｉが異常である場合には、所定値以上で一定値ではなく、変動する。そこで、出力電圧Ｖｉが異常かあるか否かを判断するため、ステップ１３０で、出力電圧Ｖｉか所定値以上で一定か否かを判断する。Ｖｉが所定値以上で一定値の場合には、ステップ１３２で、変数ｉが単位セルの総数Ｉに等しいか否かを判断する。変数ｉが総数Ｉに等しくない場合には、未だ異常があるかどうか判断されてないセルがあるので、ステップ１２４に戻る。一方、変数ｉが総数Ｉに等しい場合には、全てのセルの出力電圧が異常でないと判断された場合であるので、ステップ１３４で、異常がないことを示すため、フラグＦを０にセットする。
【００５５】
一方、ステップ１３０で、出力電圧Ｖｉが所定値以上で一定ではないと判断された場合には、出力電圧Ｖ１が異常であると一応判断することができる。しかし、誤検出の場合もあるので、これを確認するため、本実施の形態ではＴ回確認する。即ち、ステップ１３６で、出力電圧Ｖｉの確認作業をした回数を表す変数Ｃｉを１インクリメントし、ステップ１３８で、変数ＣｉがＴに等しいか否かを判断する。なお、この実施の形態では、Ｔは３としている。即ち、出力電圧Ｖｉが異常であるか否かを３回判断することになる。ステップ１３８で変数ＣｉがＴに等しくないと判断された場合には、ステップ１２８に戻って以上の処理（ステップ１２８〜ステップ１３８）を実行する。ステップ１３８が肯定判定されると、出力電圧Ｖｉが連続して３回異常であると判断されたため、出力電圧Ｖｉが異常であると結論することができる。
【００５６】
しかしながら、出力電圧Ｖｉが異常である場合には、その原因箇所は、電圧センサである場合もあるが、セル自体に異常がある場合もある。そこで、出力電圧Ｖｉが異常である原因箇所が電圧センサであるのかセルであるのかを次のように判断する。 
即ち、ステップ１４０で、変数ｉ−１により識別されるセルの出力電圧Ｖｉ−１を取り込む。即ち、セルｉの隣りのセルｉ−１の電圧センサの出力電圧Ｖｉ−１を取り込む。
【００５７】
ステップ１４２で、セルｉの出力電圧Ｖｉとセルｉ−１の出力電圧Ｖｉ−１との差の絶対値を計算し、ステップ１４４で、差の絶対値が許容値Ｔを超えているか否かを判断する。
【００５８】
ここで、電圧センサ自体が異常である場合には、当該センサの異常は隣のセルに影響しないので、当該電圧センサの出力電圧のみが異常の値を示し、上記差の絶対値は、許容値を超えるのに対し、セルが異常である場合には、そのセルの異常が隣りのセルの出力電圧にも影響を及ぼすので、上記差の絶対値は小さくなる。そこで、ステップ１４４で、上記差の絶対値が許容値か否かを判断し、許容値を超えていると判断された場合には、電圧センサの異常であると判断することができ、ステップ１４６で、図１８に示す管理テーブルにおいてセルｉに対応して設けられた異常を記憶する領域について、電圧センサの異常を記憶する。
【００５９】
一方、ステップ１４４で、差の絶対値が許容値を超えていないと判断された場合には、セルが異常と判断することができるので、ステップ１４８で、上記管理テーブルのセルの異常を示す記憶する領域にこの情報を記憶する。 
電圧センサが異常である場合には、当該セルの出力電圧は正常値を表しているはずであるので、ステップ１３２に戻って上記処理を実行する。
【００６０】
一方、セルが異常と判断された場合には、異常なセルの個数が多ければ、最終的な燃料電池スタックの総出力電圧に大きく影響を及ぼす場合がある。そこで、異常なセルの個数をカウントするため、ステップ１５０で、異常なセルの個数のカウント値Ｅを１インクリメントし、ステップ１５２で、異常なセルの個数が許容値Ｍを超えているか否かを判断する。異常なセルの個数Ｅが許容値Ｍを超えていないと判断された場合には、ステップ１３２に戻る。一方、異常なセルの個数Ｅが許容値Ｍを超えて居る場合には、ステップ１５４で、異常があることを示すためフラグＦを１にセットする。
【００６１】
以上のように異常検知処理が実行され、次のステップ１０４（図１５参照）では、フラグＦが０にセットされているか否か、即ち、異常がなかったかどうかを判断する。フラグＦが０にセットされている場合には、異常がないと判断されるので、ステップ１１０で定常運転を開始する。
【００６２】
一方、フラグＦが０にセットされていない、即ち、１にセットされている場合には、異常が発生しているので、ステップ１０６で、管理テーブルに記憶された内容に基づいて異常の状態を示すエラーコードを、図示しない表示装置に出力し、ステップ１０８で、所定の停止処理を実行する。
【００６３】
以上説明した実施の形態では、電圧センサの検出値が異常か否かを判断するようにしているので、各モジュールの状態を具体的に把握することができる。
【００６４】
また、本実施の形態では、電圧センサの検出値が異常と判断された場合、電圧センサの検出値が異常となった原因個所を推定するので、推定された原因個所に応じて異常に対処することができる。特に、異常と判断された電圧センサの出力電圧と、該電圧センサに対応するモジュールの隣のモジュールに対応する電圧センサの出力電圧と、に基づいて、電圧センサの検出値が異常となった原因個所を推定するので、電圧センサが異常で電圧センサの出力値が異常となったのかモジュールが異常で電圧センサの出力値が異常となったのかを把握することができる。
【００６５】
更に、本実施の形態では、燃料電池スタックに燃料ガスを導入後定常運転前に電圧センサの検出値が異常か否かを判断するので、異常な状態で定常運転に入ることを抑制することができる。
【００６６】
以上説明した実施の形態では、異常検知処理を、起動処理後定常運転開始前に実行しているが、本発明はこれに限定されるものでなく、定常運転開始後所定期間経過した後に一定時間毎に繰り替えし実行するようにしてもよい。即ち、燃料ガスが導入されると、図１９に示すように、出力電圧は徐々に上昇し、燃料電池開放電位ＯＣＶに到達する。その間所定時間ΔＴを必要とする。この所定期間ΔＴが経過した後、一定期間毎に異常検知処理を実行するようにしてもよい。
【００６７】
その他、高負荷運転（例えば、登坂運転や高速（１００ｋｍ/ｈ以上の運転）の終了）後や、車両が停止したときや、更に、環境に応じて異常検知処置を実行するようにしてもよい。なお、環境に応じて実行するというのは、例えば、セルの環境温度が氷点下以下になった場合等である。
【図面の簡単な説明】
【００６８】
【図１】この発明の燃料電池システム１を示すブロック図である。
【図２】燃料電池用セパレータを示す全体正面図である。
【図３】燃料電池セパレータで構成された燃料電池スタックの部分断面平面図（Ａ‐Ａ断面図）である。
【図４】燃料電池セパレータで構成された燃料電池スタックの部分断面側面図（Ｂ‐Ｂ断面図）である。
【図５】燃料電池セパレータの部分断面側面図（Ｃ‐Ｃ断面図）である。
【図６】燃料電池用セパレータの全体背面図である。
【図７】燃料極側の集電部材の部分拡大斜視図である。
【図８】単位セルの断面図である。
【図９】燃料電池スタックの部分平面図である。
【図１０】燃料電池スタックの全体平面図である。
【図１１】水素通路の縦断面を示す燃料電池スタックの部分断面図（Ｄ-Ｄ断面図）である。
【図１２】燃料ガスが最後に通過するモジュールの構成を示す模式図である。
【図１３】燃料電池スタックの全体正面図である。
【図１４】燃料電池スタックの全体背面図である。
【図１５】燃料電池システムの制御動作を示すフローチャートである。
【図１６】図１６のステップ１０２の制御動作を示すフローチャートである。
【図１７】電圧センサの出力値が正常な場合と異常な場合とを示したグラフである。
【図１８】管理テーフルを示した図である。
【図１９】燃料ガス導入後の出力電圧の変化を示した図である。
【符号の説明】
【００６９】
１  燃料電池システム
１００  燃料電池スタック
１３  燃料電池セパレータ
１３０−１〜ｎ  モジュール
１５  単位セル
１７ａ、１７ｂ  水素通路
３  集電部材
３０  燃料室
３２  凸状部
３０１  水素流路
３０２  水素流路
４  集電部材
４０  空気流路
４２  凸状部
４３  導入口
４４  導出口
８  枠体
９  枠体
１７１ａ  燃料供給口
１７１ｂ  燃料排出口
２０１  燃料ガス供給流路
２０３  燃料ガス排出流路
Ｓ１〜Ｓｒ  電圧センサ
Ｖ１  ガス供給弁
Ｖ２  循環電磁弁
Ｖ３  減圧電磁弁
Ｖ４  空気供給弁
Ｖ５  減圧用遮断電磁弁
Ｖ６  排気電磁弁
【図１】
2007012455.tif 000003
【図２】
2007012455.tif 000004
【図３】
2007012455.tif 000005
【図４】
2007012455.tif 000006
【図５】
2007012455.tif 000007
【図６】
2007012455.tif 000008
【図７】
2007012455.tif 000009
【図８】
2007012455.tif 000010
【図９】
2007012455.tif 000011
【図１０】
2007012455.tif 000012
【図１１】
2007012455.tif 000013
【図１２】
2007012455.tif 000014
【図１３】
2007012455.tif 000015
【図１４】
2007012455.tif 000016
【図１５】
2007012455.tif 000017
【図１６】
2007012455.tif 000018
【図１７】
2007012455.tif 000019
【図１８】
2007012455.tif 000020
【図１９】
2007012455.tif 000021